Podtech/llm-jp-corpus-v4-ja_patent huggingface dataset:
(57)【要約】　　　（修正有）【課題】便器内に吸盤でつける小用集中的となる動く目標物を置くことにより、悪臭を減少させ、掃除の手間を省き、トイレの中に遊び心を取り入れる。【解決手段】吸盤（１）の穴を通した四角形の中空軸（２）の軸上部中央に２個のリング（３）を通し、リングの上に２枚羽根（４）の付いた六角形の形にシート（５）を貼付ける。六角形（６）は小水によって水車の様に回って動く。六角形の面（６）には文字や絵もしくは数字を、記入して小用集中的とする。【選択図】図１
2004124680.tif 000002
【特許請求の範囲】
【請求項１】
吸盤（１）の穴を通した四角形の中空軸（２）の軸上部中央に２個のリング（３）を通しリングの上に２枚羽根（４）の付いた六角形（５）の形にシートを貼りつけ六角形（６）には文字や絵もしくは数字を、記入した小用時に的となるもの。
【発明の詳細な説明】
【０００１】
【発明の属する技術分野】
この発明は、吸盤に２枚羽のついた六角形の水車を便器の中に付け小用時の的となるものである。
【０００２】
【従来の技術】
従来、便器に張るシールや便器自体に絵を焼き付けたものがあった。
【０００３】
【発明が解決しようとする課題】
これには、次のような欠点があった。
（イ）　的の役目はするが動かないのでユーモアに欠ける。
（ロ）　便器自体に絵を焼き付けたものは、コストが掛かり従来から有るものを使用できない。
本発明は、これらの欠点を除く為になされたものである。
【０００４】
【課題を解決するための手段】
吸盤（１）の穴をとした四角形の中空軸（２）の軸上部中央に２個のリング（３）を通しリングの上に２枚羽根（４）の付いた六角形の形（５）にシートを張り六角形の面（６）には文字や絵もしくは数字を記入した的となるもの。
【０００５】
【発明の実施の形態】
以下、本発明の実施例について説明する。
（イ）　吸盤（１）の穴に四角形の中空軸（２）を通す。
（ロ）　中空軸（２）の軸上部中央に２個のリングを通す。
（ハ）　リング（３）に六角形の形（５）になるように２枚羽（４）の付いたシートを貼りつける。
（ニ）　六角形の面（６）には、文字・絵・数字などを記入する。
本発明品は以上のような構造で、これを使用する時は吸盤（１）を便器の中に貼りつけ的となる小水が２枚羽（４）にあたることによって水車のようにリング（２）が回り回転が止まると同じくして六角形（６）の面に書いてある絵・文字・数字などが見える。
【０００６】
【発明の効果】
便器の中に的となる動く目標物を置くことにより悪臭の減少・掃除の手間を省きトイレの中に遊び心を取り入れた。
【図面の簡単な説明】
【図１】本発明の斜視図である。
【図２】本発明の他の実施例を示す斜視図である。
【符号の説明】
１　　吸盤
２　　中空軸
３　　リング
４　　羽根
５　　シート
６　　面
【図１】
2004124680.tif 000003
【図２】
2004124680.tif 000004
(57)【要約】【課題】低コストで、インナーワイヤーロープの、耐摩耗性、潤滑性、防食性、柔軟性を向上させる。【解決手段】素線を撚り合わせると同時に異形線を形成し、潤滑油もしくは固体潤滑剤を混合させた潤滑油を充填し封止させ、ストランドを撚り合わせる時も、潤滑油もしくは固体潤滑剤を混合させた潤滑油を充填し封止させる。また、亜鉛メッキや複合メッキ等を施した材料を用いる。【選択図】　図４
2004124342.tif 000002
【特許請求の範囲】
【請求項１】
複数本の素線を撚り合わせると同時に、平滑でかつ、素線同士の接触状態が面接触となるように異形線を形成し、その面接触部分に、潤滑油もしくは固体潤滑剤を混合させた潤滑油を充填させたことを特徴とするストランドからなる、インナーワイヤーロープ。
【請求項２】
亜鉛メッキ、もしくは、亜鉛メッキ上に潤滑性、耐摩耗性、防食性を有する軟質金属のメッキ、もしくは、軟質金属に固体潤滑剤を分散させた複合メッキを材料とする、請求項１記載のインナーワイヤーロープ。
【請求項３】
ステンレス鋼線を材料とする、請求項１記載のインナーワイヤーロープ。
【発明の詳細な説明】
【０００１】
【発明の属する技術分野】
この発明は、自動車の窓開閉装置などに利用されるインナーワイヤーロープの製造方法に関する。
【０００２】
【従来の技術】
複数本の素線を撚り合わせたストランドからなる芯の周りに、複数本の素線を撚り合わせたストランドを複数本撚り合わせ、かつ、潤滑油を充填させたものがあるが、これは摩耗による断線や水分等による腐食を起こしやすい。
【０００３】
【発明が解決しようとする課題】
従来、インナーワイヤーロープは、繰り返し曲げ伸ばしされ、潤滑性、耐摩耗性、防食性が要求される。
【０００４】
インナーワイヤーロープは、一例として、自動車等のウインドレギュレータとして使用される。
【０００５】
ウインドレギュレータは、インナーワイヤーロープを固定ガイドに接触しながら、巻取り体に巻き取ることにより、ウインドガラスを昇降させるものである。
【０００６】
このため、インナーワイヤーロープは、小さな曲げ半径で繰り返し曲げ伸ばしされる。
【０００７】
しかしながら、従来のインナーワイヤーロープでは、小さな曲げ半径で繰り返し曲げ伸ばしを行うと、芯ストランドと側ストランドとの間に摩擦が生じ、摩耗し断線しやすい。
【０００８】
従来、インナーワイヤーロープは、撚り合わせ時に潤滑油を充填しているが、潤滑油は漏出により、長期間の摩耗を防止できない。
【０００９】
また、自動車等で使用されるウインドレギュレータ用のインナーワイヤーロープは、雨などにより水分付着する機会が多いので、腐食の恐れがある。
【００１０】
また、ウインドレギュレーター用のインナーワイヤーロープは、インナーワイヤーロープと固定ガイドとの摩擦により、固定ガイドを摩耗させ破損する恐れがある。
【００１１】
そこで、本考案は、生産の手間とコストを極力抑え、インナーワイヤーロープとそれに接する固定ガイドやアウターケーシング等の摩耗を長期間防止し、かつ、防食性を追及してインナーワイヤーロープの信頼性を高めることを課題としている。
【課題を解決するための手段】
【００１２】
上記の課題を解決する為に、複数の素線を撚ると同時に、図１のように、異形加工を施し素線同士の接触状態を面接触となるようにしストランドを形成し、柔軟性、耐型崩れ性、耐摩耗性が向上するようにする。
【００１３】
また、芯ストランドと側ストランドとの撚り合わせ時においても、面接触となるように、ストランド表面が従来のストランド図２と違い、図３のように平滑にし、柔軟性、耐型崩れ性、耐摩耗性が向上するようにする。
【００１４】
また、図１のよに、複数の素線を撚り合わせてストランドを形成する時に、潤滑油もしくは固体潤滑剤を混合させた潤滑油２を充填し封止する。
【００１５】
さらに、図４のように、芯ストランドと側ストランドを撚り合わせてインナーワイヤーロープを形成する時も、潤滑油もしくは固体潤滑剤を混合させた潤滑油２を充填し封止させる。
【００１６】
また、亜鉛メッキ、もしくは亜鉛メッキ上に潤滑性、耐摩耗性、防食性を有する軟質金属メッキ、もしくは軟質金属に固体潤滑剤を分散させた複合メッキを、材料にほどこす。
【００１７】
このほか、ステンレス鋼線を材料に用いることもできる。
【００１８】
【作用】
この発明のインナーワイヤーロープは、ストランドが図１のように、緻密に撚り合わされているため、型崩れが少なく、素線同士の接触による摩耗が極端に抑えられる。
【００１９】
また、ストランドが従来に比べて円形に近く撚り合わされているため、ストランド同士の接触面も面接触となり、接触による摩耗も極端に抑えられる。
【００２０】
さらに、素線及びストランドを撚り合わせる時に、潤滑油もしくは固体潤滑剤を混合させた潤滑油を充填させ封止させることにより、耐摩耗性が向上する。
【００２１】
また、インナーワイヤーロープの表面が平滑なため、固定ガイドやアウターケーシング等との接触時も、両方の摩耗を極端に抑えられる。
【００２２】
【発明の実施の形態】
図１、図３、図４は、この発明のインナーワイヤーロープの実施形態を示す。
【００２３】
図１は、芯ストランド及び側ストランドで、異形加工された素線１が潤滑油もしくは固体潤滑剤を混合させた潤滑油２を封止している。
【００２４】
図３は、芯ストランド及び側ストランドの、側面図である。
【００２５】
図４は、インナーワイヤーロープの断面図で、芯ストランド３の周りに側ストランド４を撚り合わせることにより、潤滑油もしくは固体潤滑剤を混合させた潤滑油２を封止している。
【００２６】
【発明の効果】
本発明は、素線を撚ると同時に異形線を形成し、潤滑油もしくは固体潤滑剤を混合させた潤滑油を充填するため、低コストで、かつ耐摩耗性、潤滑性、柔軟性、耐型崩れ性が向上している。
【００２７】
ストランドを撚り合わせる時も、潤滑油もしくは固体潤滑剤を混合させた潤滑油を充填させるため、さらに、耐摩耗性、潤滑性、柔軟性、耐型崩れ性が向上する。
【００２８】
また、請求項２のメッキを施すことにより、さらに、耐摩耗性、潤滑性、柔軟性、耐型崩れ性が向上する。
【００２９】
以上述べたように、本発明のインナーワイヤーロープは、耐摩耗性、潤滑性、柔軟性、防食性に優れた効果を発揮することができ、低コストで信頼性及び実用性の高い画期的な発明である。
【図面の簡単な説明】
【図１】芯ストランド及び側ストランドの断面図
【図２】従来のストランドの側面図
【図３】本発明のストランドの側面図
【図４】本発明のインナーワイヤーロープの断面図
【符号の説明】
１　素線
２　潤滑油もしくは固体潤滑剤を混合させた潤滑油
３　芯ストランド
４　側ストランド
【図１】
2004124342.tif 000003
【図２】
2004124342.tif 000004
【図３】
2004124342.tif 000005
【図４】
2004124342.tif 000006
(57)【要約】【課題】袖を手軽に交換でき、折り畳みがしやすく、しかも、着心地の良い襦袢の袖構造を提供することである。【解決手段】襦袢の身頃（１）に袖（３）をスナップファスナー（２）で着脱可能に設け、スナップ（５）を肩の折り目部分（１０）よりも下側に取り付けてあることを特徴とする襦袢の袖構造。【選択図】　　　図１
2004124296.tif 000002
【特許請求の範囲】
【請求項１】
襦袢の身頃（１）に袖（３）をスナップファスナー（２）で着脱可能に設け、スナップ（５）を肩の折り目部分（１０）よりも下側に取り付けてあることを特徴とする襦袢の袖構造。
【発明の詳細な説明】
【０００１】
【発明の属する技術分野】
本発明は、襦袢の身頃と袖を一体化する部分に工夫を凝らした襦袢の袖構造に関する。
【０００２】
【従来の技術】
襦袢は身頃に袖を縫着して一体化してあるので、袖を着脱することは縫着技術を持つ人だけしか通常できなかった。しかし、縫着技術を持たない人であっても、手軽に袖を着脱できれば、たとえば柄の違う袖に付け替えることによって、おしゃれが楽しめる。
【０００３】
そこで本発明者は袖を身頃に着脱可能にするための製品開発に着手した。防寒着等では、スライドファスナーを使って身頃と袖を着脱可能にした製品が売られているが、襦袢にスライドファスナーをそのまま用いると、幾つかの不都合があった。一つ目としては、襦袢は肩のラインに沿って身頃及び袖を折り目がつくまで畳むものであるが、エレメントが連続するスライドファスナーを折り目がつく状態に畳むことはできない点が挙げられる。また、二つ目としては、襦袢は肌に付けて着るので着用感が防寒着などに比べて遙かに重要視されており、スライダーのある部分のみが他の箇所に比べて特別厚みのある状態となり、スライダーのある部分が肌に触れると違和感を感じ、着用感が良くない点が挙げられる。
【０００４】
【発明が解決しようとする課題】
本発明は上記実情を考慮して開発されたもので、その目的は、袖を手軽に交換でき、折り畳みがしやすく、しかも、着心地の良い襦袢の袖構造を提供することである。
【０００５】
【課題を解決するための手段】
本発明は、襦袢の身頃に袖をスナップファスナーで着脱可能に設け、スナップを肩の折り目部分よりも下側に取り付けてあることを特徴とする襦袢の袖構造である。
【０００６】
【発明の実施の形態】
本発明の襦袢の袖構造は図１及び図２に示すように、身頃１の袖側の縁部に沿って、スナップファスナー２の雌雄の一方を取り付け、袖３の上側部分における身頃側の縁部に沿ってスナップファスナー２の雌雄の他方を取り付けてある。また、身頃１と袖３の柄を違うものとしてある。
【０００７】
スナップファスナー２は図５に示すように、横方向に移動させて止め外しするものである。スナップファスナー２の雌雄は、身頃１の袖側の縁部又は袖３の身頃側の縁部に沿って縫着するテープ４と、テープ４に間隔をあけて固定した合成樹脂製のスナップ５とからなる。スナップ５の雄エレメントは、テープ４の幅縁部を挟む固定部６と、固定部６から突出する雄部７とからなり、雄部７の先部を膨大形状としてある。また、スナップ５の雌エレメントは、テープ４の幅縁部を挟む固定部８と、固定部８から突出する雌部９とからなり、雌部９を雄部７を収納する穴形状とし、弾性によって雄部７を雌部９に出し入れ可能に収容する。スナップファスナー２には、ＹＫＫニューマックス株式会社より販売している商品名Ｚナップを用いている。なお、テープ４は折り畳み可能な柔軟な性質を有するもので、材質の一例としてはポリエステルが挙げられる。また、スナップ５の材質の一例としては合成樹脂（ポリアセタール）が挙げられる。
【０００８】
上述したスナップファスナー２は図１及び図２に示すように、スナップ５を肩の折り目部分１０よりも下側に配置して、身頃１及び袖３を肩の折り目部分１０で折り畳むことができるようにしてある。
【０００９】
スナップファスナー２の取り付け方を図３と図４に基づいて説明すれば、身頃１の袖側の縁部は身頃用生地１１の裏面側に、テープ取付用生地１２を横に突き出す状態で縫着し、テープ取付用生地１２の幅中央部にテープ４の一部を挟む状態で縫着してスナップ５をテープ取付用生地１２の表面に露出させる。一方、袖３の身頃側の縁部は、二枚重ねの袖用生地１３，１３の間にテープ４の一部を挟む状態で縫着してスナップ５を横に突出させてある。スナップ５の雌雄を止めた状態では、身頃１から突き出したテープ取付用生地１２が袖用生地１３の内面側に配置しているので、身頃１及び袖３の接合部分においては各種生地１１，１２，１３が腕に触れ、スナップファスナー５が触れない状態となっており、肌触りが良い。なお、図面では各種生地を明確に表すために、上下の間隔を大きくあけてあるが、実際には殆ど隙間のない状態で重なり合っている。符号Ｈが縫着箇所である。
【００１０】
【発明の効果】
本発明は、襦袢の身頃に袖をスナップファスナーで着脱可能に設けてあるので、袖の止め外しが容易にできる。従って、袖を複数所有していれば、身頃に袖を付け替えておしゃれが手軽に楽しめる。また、スナップを肩の折り目部分よりも下側に取り付けてあるので、肩の折り目部分で身頃及び袖を折り畳む際にスナップが邪魔にならず、折り畳みがしやすい。また、スナップファスナーは、スライドファスナーのようなスライダーがなく、所定の間隔をあけてスナップが取り付けてあるから、スナップのある部分の肌への触れた感触が均一となり、着心地も良い。なお、襦袢の上に着物を着れば、身頃と袖の接合部分が外からは見えなくなるので、体裁も良い。
【図面の簡単な説明】
【図１】本発明の襦袢の袖構造であって一方の袖を外した状態の正面図である。
【図２】袖を取り付けた状態の背面図である。
【図３】図１のＡ−Ａ線断面図である。
【図４】スナップを止めた状態を示す断面図である。
【図５】（イ）（ロ）（ハ）（い）（ろ）（は）
（イ）（ロ）（ハ）はスナップを止めた状態、（い）（ろ）（は）はスナップを外した状態を示す正面図、底面図、Ｂ−Ｂ線断面図である。
【符号の説明】
１　身頃
２　スナップファスナー
３　袖
５　スナップ
１０　肩の折り目部分
【図１】
2004124296.tif 000003
【図２】
2004124296.tif 000004
【図３】
2004124296.tif 000005
【図４】
2004124296.tif 000006
【図５】
2004124296.tif 000007